(57)【要約】【課題】デザイン性に優れ、且つ、使い勝手、使い心地、清掃性の良好なコンロを提供すること。【解決手段】本体上面部を構成する天板１１と、天板１１の上部に載置された調理容器を加熱する加熱手段２と、加熱手段２の加熱動作を設定操作する機能および表示機能を兼備する操作表示部１８とを備えたコンロであって、天板１１の前縁部１１Ｃが前下方に傾斜して形成され、操作表示部１８は、タッチパネルで構成され、前縁部１１Ｃに配設されたこと。【選択図】図２
2016084959.tif 000002
【特許請求の範囲】
【請求項１】
本体上面部を構成する天板と、天板の上部に載置された調理容器を加熱する加熱手段と、加熱手段の加熱動作を設定操作する機能および表示機能を兼備する操作表示部とを備えたコンロであって、
天板の前縁部が前下方に傾斜して形成され、前記操作表示部は、タッチパネルで構成され、前記前縁部に配設された、コンロ。
【請求項２】
請求項１に記載のコンロにおいて、
本体前面部における前記前縁部の下方位置に加熱手段のオンオフ操作ボタンが配設され、
オンオフ操作ボタンにてオン操作がなされることで、オン操作された加熱手段に対応する操作表示部の操作や表示が可能な状態となるように構成された、コンロ。
【請求項３】
請求項１または２に記載のコンロにおいて、
本体前面部における前記前縁部の前端より後方へ奥まった位置に、加熱手段のオンオフ操作ボタンが配設された、コンロ。
【請求項４】
請求項１から３のいずれかに記載のコンロにおいて、
本体内部にグリル庫が設けられ、
本体前面部に、グリル庫の前面開口部を被閉するグリル扉が配設され、
前記前面開口部がグリル扉で閉じられた状態において、前記前縁部と、グリル庫内を視認するためのグリル扉の窓部とが同一平面で構成された、コンロ。
【発明の詳細な説明】
【技術分野】
【０００１】
本発明は、天板に単数或いは複数の加熱手段が配設されたコンロに関する。
【背景技術】
【０００２】
テーブルコンロやビルトインコンロなど、天板に単数或いは複数の加熱手段が配設された従来のコンロにおいて、不使用時におけるコンロ本体の前面部がシンプルな外観となるよう、コンロ本体の前面部に開閉蓋を設け、上記開閉蓋の内側に、調理モードやタイマなど加熱手段の加熱動作を設定するための設定操作スイッチ、表示窓等を配設したものが知られている（例えば、特許文献１および２参照）。
【０００３】
また、天板に単数或いは複数の加熱手段が配設された従来のコンロにおいて、天板上面の前寄りの位置に上記設定操作スイッチや表示窓が配設されたものも提案されている（例えば、特許文献３参照）。
【先行技術文献】
【特許文献】
【０００４】
【特許文献１】特開２００４−２６３９０３号公報
【特許文献２】特開２０１２−５７８９７号公報
【特許文献３】特開２００８−８９２２９号公報
【発明の概要】
【発明が解決しようとする課題】
【０００５】
しかしながら、本体前面部の開閉蓋の内側に設定操作スイッチや表示窓が配設された既述従来のコンロでは、設定操作スイッチを操作する際や表示窓の表示を視認する際に、開閉蓋を開く必要があるため、使い勝手が悪かった。また、設定操作スイッチにて加熱手段の加熱動作を設定する場合は、通常、開閉蓋を開いて表示窓を外部へ露出させた状態のまま使用されるため、その間、外観が損なわれるし、コンロ本体の前方へ流れ落ちた煮こぼれが開閉蓋周辺の隙間や凹凸部に付着し、落とし難い汚れとして残留し易いといった問題もあった。
【０００６】
一方、天板上面に設定操作スイッチや表示窓が配設された既述従来のコンロでは、設定操作スイッチを操作する際に、加熱手段からの輻射熱が使用者の手元へ直接的に伝わり、使用者に不快感を与える虞があるし、また、天板の上部に載置された高温の調理容器に手が触れてしまう虞もあった。さらに、天板の上部に載置された調理容器の持ち手部や容器本体が、設定操作スイッチの操作や表示の視認の妨げとなる問題もあった。
【０００７】
本発明は、上記課題を鑑みてなされたものであり、その目的は、デザイン性に優れ、且つ、使い勝手、使い心地、清掃性の良好なコンロを提供することにある。
【課題を解決するための手段】
【０００８】
本発明は、本体上面部を構成する天板と、天板の上部に載置された調理容器を加熱する加熱手段と、加熱手段の加熱動作を設定操作する機能および表示機能を兼備する操作表示部とを備えたコンロであって、天板の前縁部が前下方に傾斜して形成され、前記操作表示部は、タッチパネルで構成され、前記前縁部に配設されたものである。
【０００９】
このものでは、天板の前縁部が前下方に傾斜して形成されており、その傾斜面に、タッチパネルで構成された操作表示部が設けられているから、本体前面部の周辺をシンプルで且つ洗練された外観形態とすることができる。しかも、前下方に傾斜する天板の前縁部に操作表示部を設けたことで、使用する際に、既述従来のコンロのように開閉蓋を開く手間がかからないし、天板の上部に載置された調理容器の持ち手部や容器本体が操作表示部の操作や表示の視認の妨げにもなり難い。また、操作表示部を操作する際に、加熱手段からの輻射熱も使用者の手元へ直接的に伝わり難いし、天板の上部に載置された高温の調理容器に手が触れる虞もない。また、操作表示部の周辺が凹凸の無い平滑な面に構成されるから、コンロ本体の前方へ煮こぼれが流れ落ちても、操作表示部の周辺には留まり難く、操作表示部の周辺に煮こぼれや油などの汚れが付着した場合には、簡単に拭き取ることもできる。
【００１０】
また、本発明は、上記コンロにおいて、本体前面部における前記前縁部の下方位置に加熱手段のオンオフ操作ボタンが配設され、オンオフ操作ボタンにてオン操作がなされることで、オン操作された加熱手段に対応する操作表示部の操作や表示が可能な状態となるように構成されたものである。
【００１１】
このものでは、オンオフ操作ボタンにて加熱手段のオン操作がなされた後、オン操作された加熱手段に対応する操作表示部が操作可能な状態となるから、使用者が直感的に次の加熱動作の設定操作に移行できる。しかも、オンオフ操作ボタンの上方位置に、対応する操作表示部が設けられているから、加熱手段のオン操作を行った後、加熱動作の設定操作により移行し易い。また、このものでは、オンオフ操作ボタンにてオン操作がなされなければ操作表示部の操作ができず、余分な表示もされないから、誤操作を防止できるし、本体前面部の外観も損なわれない。
【００１２】
また、本発明は、上記コンロにおいて、本体前面部における前記前縁部の前端より後方へ奥まった位置に、加熱手段のオンオフ操作ボタンが配設されたものである。
【００１３】
このものでは、加熱手段のオンオフ操作ボタンが天板の前縁部より後方へ奥まった位置に設けられているから、コンロ本体の前方へ油が飛散したり煮こぼれが流れ落ちたりしても、オンオフ操作ボタンには付着し難い。
【００１４】
また、本発明は、上記コンロにおいて、本体内部にグリル庫が設けられ、本体前面部に、グリル庫の前面開口部を被閉するグリル扉が配設され、前記前面開口部がグリル扉で閉じられた状態において、前記前縁部と、グリル庫内を視認するためのグリル扉の窓部とが同一平面で構成されたものである。
【００１５】
このものでは、天板の前縁部とグリル扉の窓部とが同一平面で構成されるから、本体前面部の周辺をよりシンプルで且つ洗練された外観形態とすることができる。また、天板の前縁部からグリル扉の窓部に亘る範囲に付着した汚れを一括して拭き取ることもできる。
【発明の効果】
【００１６】
以上のように、本発明によれば、本体前面部の周辺をシンプルで且つ洗練された外観形態とすることができるため、デザイン性が向上する。しかも、既述従来のコンロのように開閉蓋を開く手間がかからないし、調理容器の持ち手部や容器本体が操作表示部の操作や表示の視認の妨げにもなり難いから、使い勝手も向上する。また、操作表示部を操作する際に、加熱手段からの輻射熱が使用者の手元へ直接的に伝わり難く、天板の上部に載置された調理容器に手が触れる虞もないから、使い心地も向上する。さらに、操作表示部の周辺に汚れが残留し難く、操作表示部の周辺に汚れが付着した場合には、簡単に拭き取ることもできるから、清掃性も向上する。
【図面の簡単な説明】
【００１７】
【図１】図１は、本発明の実施の形態に係るコンロのグリル扉を開いた状態を示す斜視図である。
【図２】図２は、本発明の実施の形態に係るコンロのグリル扉を閉じた状態を示す斜視図である。
【図３】図３は、本発明の実施の形態に係るコンロの正面図である。
【図４】図４は、本発明の実施の形態に係るコンロの左側面図である。
【図５】図５は、本発明の実施の形態に係るコンロのコンロ用操作表示部の第１表示状態を示す図である。
【図６】図６は、本発明の実施の形態に係るコンロのコンロ用操作表示部の第２表示状態を示す図である。
【図７】図７は、本発明の実施の形態に係るコンロのコンロ用操作表示部の第３表示状態を示す図である。
【図８】図８は、本発明の実施の形態に係るコンロのグリル用操作表示部の第１表示状態を示す図である。
【図９】図９は、本発明の実施の形態に係るコンロのグリル用操作表示部の第２表示状態を示す図である。
【発明を実施するための形態】
【００１８】
次に、上記した本発明を実施するための形態について、添付図面を参照しながら詳述する。
図１および図２に示すように、本発明の実施の形態に係るコンロ１は、キッチンのテーブルに載置して使用される所謂ガステーブルコンロであり、略矩形箱状のコンロ本体１０の上面部を構成する天板１１に、加熱手段として単数或いは複数（ここでは、２口）のコンロバーナ２が配設されている。また、天板１１の上面におけるコンロバーナ２の配設部には、鍋やフライパン等の調理容器を支持する五徳２０が載置されている。さらに、コンロ本体１０の内部には、グリル庫１００が設けられており、グリル庫１００の内部には、グリル庫１００内に収容した食材を加熱する加熱手段としてグリルバーナ３が設けられている。尚、本明細書では、コンロ本体１０の前面部（以下、「本体前面部」という）１０２側から見たときの奥行き方向を前後方向、幅方向を左右方向、高さ方向を上下方向という。
【００１９】
本体前面部１０２には、コンロバーナ２およびグリルバーナ３のオンオフ操作ボタンとして、コンロバーナ２の点火および消火を行うためのコンロ点消火操作ボタン１２と、グリルバーナ３の点火および消火を行うためのグリル点消火操作ボタン１３とが設けられている。また、本体前面部１０２の略中央位置には、コンロ本体１０に対して前後にスライド可能な状態で連結支持され、グリル庫１００の前面開口部１０４を被閉するグリル扉１４が設けられている。さらに、グリル扉１４の上半面には、透光性を有し、グリル庫１００内を視認可能な窓部１４０が設けられている。
【００２０】
天板１１は、耐熱性および耐衝撃性の高いガラス板で形成されており、その外周端面は、アルミニウムやステンレス等の金属製の天板外枠１５で覆われている。グリル扉１４の窓部１４０も天板１１と同様、耐熱性および耐衝撃性の高いガラス板で形成されており、その下端面には、天板外枠１５と同一素材で形成された窓部前枠１４１が設けられている。
【００２１】
天板１１の上面中央部（以下、「天板中央部」という）１１Ａは、天板１１の上面外周部（以下、「天板外周部」という）１１Ｂより一段低く設定されている。従って、調理中、五徳２０の上部に載置された調理容器から天板中央部１１Ａの上面へ煮こぼれが流れ落ちても、天板外周部１１Ｂより外側には流出し難い。
【００２２】
天板中央部１１Ａには、略円形のバーナ用開口１６が設けられており、コンロバーナ２は、略円筒状のバーナボディ２１をバーナ用開口１６から上方へ突出させた状態でコンロ本体１０の内部に組み込まれている。また、天板外周部１１Ｂにおけるコンロ本体１０の後方寄りの位置には、グリル庫１００の内部に通じる横長スリット状の排気口１７が設けられている。
【００２３】
天板１１の前縁部（以下、「天板前縁部」という）１１Ｃは、本体前面部１０２の上半面を覆うように、所定の角度（ここでは、略５６度）下向きに、即ち、天板外周部１１Ｂの前辺から前下方へ向かって斜めに折曲形成されている。また、天板前縁部１１Ｃの上辺の折曲部１１Ｄは、コンロ本体１０の前上方へ向かって凸の円弧状に湾曲形成されている。
【００２４】
天板前縁部１１Ｃの下辺の略中央位置には、窓部１４０と略同一形状の切欠１１４が形成されており、グリル扉１４が閉じられた状態において、窓部１４０が上記切欠１１４に嵌り込むことで一つの面が構成される。即ち、天板前縁部１１Ｃと窓部１４０とが同一平面で一体的に構成されるようになっている。また、このとき、窓部前枠１４１が天板外枠１５と一体的に繋がり、天板１１の外周を囲うように一つの環状の枠体が構成される（図２参照）。
【００２５】
グリル扉１４の扉本体１４２は、天板前縁部１１Ｃ（窓部前枠１４１）の前端より後方へ奥まった位置に配設されており、その前端は、前方へ天板前縁部１１Ｃの前端と略同一の位置まで突出している。尚、扉本体１４２は、前端が天板前縁部１１Ｃの前端より後方位置まで突出形成されたものとしてもよい。
【００２６】
図１から図４に示すように、天板前縁部１１Ｃからその上辺の折曲部１１Ｄに至る所定範囲には、各コンロバーナ２における調理モードやタイマなどの加熱動作を設定操作する機能および表示機能を兼備するコンロ用操作表示部１８と、グリルバーナ３の加熱動作を設定操作する機能および表示機能を兼備するグリル用操作表示部１９とが設けられている。
【００２７】
コンロ点消火操作ボタン１２およびグリル点消火操作ボタン１３は、本体前面部１０２における天板前縁部１１Ｃの下辺に沿って配設されている。また、コンロ点消火操作ボタン１２およびグリル点消火操作ボタン１３は、扉本体１４２と同様、天板前縁部１１Ｃ（天板外枠１５）の前端より後方へ奥まった位置に配設されており、それら各前端は、前方へ天板前縁部１１Ｃの前端と略同一の位置まで突出している。尚、コンロ点消火操作ボタン１２およびグリル点消火操作ボタン１３は、前端がそれぞれ天板前縁部１１Ｃの前端より後方位置まで突出形成されたものとしてもよい。
【００２８】
また、コンロ点消火操作ボタン１２およびグリル点消火操作ボタン１３は、コンロ本体１０内の図示しないプッシュプッシュ機構に連結されており、オフ位置から後方へ押し込む点火操作（オン操作）によって、コンロ本体１０の内部に組み込まれた図示しないガスバルブユニットを開状態にさせると共に点火スイッチをオン状態にし、対応するバーナ２，３を点火させる。一方、再度後方へ押し込んでオフ位置に戻す消火操作（オフ操作）によって、上記ガスバルブユニットを閉状態にさせると共に点火スイッチをオフ状態にし、対応するバーナ２，３を消火させる。
【００２９】
コンロ用操作表示部１８およびグリル用操作表示部１９は、何れも静電式のタッチパネルで構成されている。また、コンロ用操作表示部１８は、天板前縁部１１Ｃにおけるコンロ点消火操作ボタン１２の上方位置に設けられ、グリル用操作表示部１９は、天板前縁部１１Ｃにおけるグリル点消火操作ボタン１３の上方位置に設けられている。
【００３０】
図５に示すように、コンロ点消火操作ボタン１２にて点火操作がなされると、コンロ用操作表示部１８における天板前縁部１１Ｃの傾斜面に、対応するコンロバーナ２の調理モードを選択するための擬似操作キーとなる複数のモード選択アイコン１８１が表示される。また、コンロ用操作表示部１８における天板前縁部１１Ｃ上辺の折曲部１１Ｄには、対応するコンロバーナ２の火力を調整するための擬似操作キーとなるスライドバー１８２および火力アップダウンアイコン１８３と、対応するコンロバーナ２の設定火力を示す火力インジケータ１８４とが表示される。これにより、調理モードの選択およびコンロバーナ２の火力調整が可能な状態になる。
【００３１】
尚、本実施の形態に係るコンロ１では、コンロ本体１０の内部に、炊飯に適した火力および加熱時間でコンロバーナ２の燃焼を制御する「炊飯モード」、使用者が任意に設定した調理時間が経過した時点でコンロバーナ２を自動消火させる「タイマモード」、および、使用者が任意に設定した調理温度にてコンロバーナ２の燃焼を制御する「温度設定モード」の各動作プログラムを実行可能な制御回路が組み込まれており、コンロ点消火操作ボタン１２にて点火操作がなされると、炊飯モード、タイマモードおよび温度設定モードに対応する三つのモード選択アイコン１８１がコンロ用操作表示部１８に表示される。
【００３２】
そして、図６に示すように、例えば「温度設定モード」のモード選択アイコン１８１が押されると、さらに、選択された調理モードの設定情報（ここでは、調理温度）１８５と、選択された調理モードの設定を変更するための擬似操作キーとなる設定アップダウンアイコン１８６とが、コンロ用操作表示部１８における天板前縁部１１Ｃの傾斜面に表示される。これにより、調理温度の設定が変更可能な状態になる。
【００３３】
尚、図示しないが、コンロ点消火操作ボタン１２にて点火操作がなされた後、「タイマモード」のモード選択アイコン１８１が押された場合は、選択された調理モードの設定情報（ここでは、調理時間）１８５と、設定アップダウンアイコン１８６とがコンロ用操作表示部１８における天板前縁部１１Ｃの傾斜面に表示される。これにより、調理時間の設定が変更可能な状態となる。また、「炊飯モード」のモード選択アイコン１８１が押された場合は、選択された調理モードの設定情報（ここでは、炊き加減）１８５と、設定アップダウンアイコン１８６とがコンロ用操作表示部１８における天板前縁部１１Ｃの傾斜面に表示される。これにより、炊き加減の設定が変更可能な状態となる。
【００３４】
一方、コンロ点消火操作ボタン１２にて点火操作がなされた後、図７に示すように、スライドバー１８２を右側方へ向かってなぞるか、或いは、スライドバー１８２の右側に表示された火力アップダウンアイコン１８３が押された場合は、上記ガスバルブユニットの開度を大きくして、対応するコンロバーナ２の火力を強くすると共に、火力インジケータ１８４の火力表示を増加させる。また、スライドバー１８２を左側方へ向かってなぞるか、或いは、スライドバー１８２の左側に表示された火力アップダウンアイコン１８３が押された場合は、上記ガスバルブユニットの開度を小さくして、対応するコンロバーナ２の火力を弱めると共に、火力インジケータ１８４の火力表示を減少させる。
【００３５】
図８に示すように、グリル点消火操作ボタン１３にて点火操作がなされた場合は、グリル用操作表示部１９に、グリルバーナ３の自動調理モードを選択するための擬似操作キーとなるオートメニュー選択アイコン１９１と、手動調理モードにおけるグリルバーナ３の火力を調整するための擬似操作キーとなる火力切替アイコン１９２と、グリルバーナ３の設定火力を示す火力インジケータ１９４と、手動調理モードにおける調理時間１９５と、手動調理モードにおける調理時間を変更するための擬似操作キーとなる設定アップダウンアイコン１９６とが表示される。これにより、自動調理モードの選択、手動調理モードにおけるグリルバーナ３の火力および調理時間の設定が可能な状態になる。
【００３６】
そして、図９に示すように、オートメニュー選択アイコン１９１が押された場合は、火力切替アイコン１９２、調理時間１９５および設定アップダウンアイコン１９６の表示が消去されると共に、選択された自動調理モードにおける食材の焼き加減を選択するための擬似操作キーとなる焼き加減切替アイコン１９７と、選択された自動調理モードの設定情報１９８とが新たにグリル用操作表示部１９に表示され、さらに、選択された自動調理モードにおいて予め設定された火力に合わせて、火力インジケータ１９４の火力表示が変更される。これにより、自動調理モードの選択および自動調理モードにおける食材の焼き加減の設定が可能な状態になる。
【００３７】
尚、本実施の形態に係るコンロ１では、コンロ本体１０の内部に、魚などの姿焼きに適した火力および加熱時間でグリルバーナ３の燃焼を制御する「姿焼モード」、切り身に適した火力および加熱時間でグリルバーナ３の燃焼を制御する「切身モード」、干物に適した火力および加熱時間でグリルバーナ３の燃焼を制御する「干物モード」、および、使用者が任意に設定した調理時間および火力にてグリルバーナ３の燃焼を制御する「手動調理モード」の各動作プログラムを実行可能な制御回路が組み込まれており、グリル点消火操作ボタン１３にて点火操作がなされた後、オートメニュー選択アイコン１９１が押されると、姿焼モード、切身モード、或いは、干物モードが選択されていることを示す設定情報１９８と、食材の焼き加減が標準、強め、或いは、弱めに設定されていることを示す設定情報１９８とがグリル用操作表示部１９に表示される。
【００３８】
一方、グリル点消火操作ボタン１３にて点火操作がなされた後、オートメニュー選択アイコン１９１が押される前に、設定アップダウンアイコン１９６（図８参照）が押された場合は、その操作に応じて手動調理モードにおける調理時間の設定を増減させると共に、調理時間１９５の表示を増減させる。また、火力切替アイコン１９２が押された場合は、その操作に応じて上記ガスバルブユニットの開度を調整して、グリルバーナ３の火力を強弱させると共に、火力インジケータ１９４の火力表示を増減させる。
【００３９】
このように、上記実施の形態に係るコンロ１では、天板前縁部１１Ｃが前下方に傾斜して形成され、その傾斜面にタッチパネルで構成された操作表示部１８，１９が設けられているから、本体前面部１０２の周辺をシンプルで且つ洗練された外観形態とすることができる。よって、デザイン性に優れたコンロを提供することが可能である。
【００４０】
しかも、前下方に傾斜する天板前縁部１１Ｃに操作表示部１８，１９を設けたことで、使用する際に、既述従来のコンロのように開閉蓋を開く手間がかからないし、五徳２０の上部に載置された調理容器Ｐ（図４参照）の持ち手部や容器本体が操作表示部１８，１９の操作や表示の視認の妨げにもなり難い。よって、使い勝手が良い。また、操作表示部１８，１９を操作する際に、コンロバーナ２からの輻射熱も使用者の手元へ直接的に伝わり難いし、高温の調理容器Ｐに手が触れる虞もない。よって、使い心地も良好である。
【００４１】
また、このものでは、天板前縁部１１Ｃ上辺の曲凸面（折曲部１１Ｄ）に沿って、コンロバーナ２の火力を調整するための擬似操作キーとなるスライドバー１８２が設けられ、この曲凸面を指でなぞる操作によって上記火力が調整されるように構成されているから、平面を指でなぞって火力を調整するように構成されたものよりも、正確に火力調整することができる。よって、より使い勝手が良い。
【００４２】
さらに、このものでは、操作表示部１８，１９の周辺が凹凸の無い平滑な面に構成されるから、調理容器Ｐからコンロ本体１０の前方へ煮こぼれが流れ落ちても、操作表示部１８，１９の周辺には留まり難く、操作表示部１８，１９の周辺に煮こぼれや油などの汚れが付着した場合には、簡単に拭き取ることもできる。よって、清掃性も良好である。
【００４３】
また、このものでは、点消火操作ボタン１２，１３にて点火操作がなされた後、その点火させたバーナ２，３に対応する操作表示部１８，１９が操作可能な状態となるから、使用者が直感的に次の加熱動作などの設定操作に移行できる。しかも、点消火操作ボタン１２，１３の上方位置に近接して、対応する操作表示部１８，１９が設けられているから、バーナ２，３を点火させた後、加熱動作などの設定操作により移行し易い。よって、使い勝手が一層良好である。
【００４４】
また、このものでは、点火操作がなされなければ操作表示部１８，１９の操作ができず、余分な表示もされないから、その間、操作表示部１８，１９における誤操作を防止できるし、本体前面部１０２の外観も損なわれない。よって、より使い勝手が良く、且つ、デザイン性にも優れたコンロを提供することが可能である。
【００４５】
さらに、このものでは、点消火操作ボタン１２，１３が天板前縁部１１Ｃより後方へ奥まった位置に設けられているから、コンロ本体１０の前方へ油が飛散したり煮こぼれが流れ落ちたりしても、点消火操作ボタン１２，１３には付着し難い。よって、清掃性が一層良好である。
【００４６】
しかも、このものでは、点消火操作ボタン１２，１３の前端は、天板前縁部１１Ｃの前端より前方に突出していないため、たとえ使用者の身体や荷物がコンロ本体１０の前方から点消火操作ボタン１２，１３の前端に接触しても、点消火操作ボタン１２，１３は、そこからさらに後方（点火操作方向）には押し込まれ難い。よって、バーナ２，３の誤点火も生じ難い。
【００４７】
また、このものでは、天板前縁部１１Ｃとグリル扉１４の窓部１４０とが同一平面で一体的な構成となるから、本体前面部１０２の周辺をよりシンプルで且つ洗練された外観形態とすることができる。よって、デザイン性が一層向上する。しかも、天板前縁部１１Ｃからグリル扉１４の窓部１４０に亘る範囲に付着した煮こぼれや油などの汚れを一括して拭き取ることもできるから、清掃性もより一層良好である。
【００４８】
尚、上記実施の形態では、天板前縁部１１Ｃの上辺の折曲部１１Ｄに沿ってスライドバー１８２および火力アップダウンアイコン１８３が表示されるものを説明したが、天板前縁部１１Ｃにおける上記折曲部１１Ｄより下方の傾斜面に、スライドバー１８２および火力アップダウンアイコン１８３が表示されるように構成されたものとしてもよい。このものでは、調理容器Ｐの載置部からより離れた位置に火力アップダウンアイコン１８３が配設されるから、設定火力をより視認し易く、使い勝手が良い。また、スライドバー１８２を操作する際に、コンロバーナ２からの輻射熱が使用者の手元へより伝わり難いし、高温の調理容器Ｐに手が触れる虞もないから、使い心地も良好である。
【００４９】
本発明は、キッチンのカウンタトップに開設されたコンロ取付孔に落とし込み状態で装着される所謂ビルトインコンロにも適用できるし、グリル庫１００を有しない構成のコンロ、加熱手段として電気ヒータやＩＨヒータを備えたコンロにも適用できる。
【符号の説明】
【００５０】
１      コンロ
１０    コンロ本体
１００  グリル庫
１０２  本体前面部
１０４  前面開口部
１４    グリル扉
１４０  窓部
１１    天板
１１Ｃ  天板前縁部
１２，１３  点消火操作ボタン（オンオフ操作ボタン）
１８，１９  操作表示部
２，３  バーナ（加熱手段）
【図１】
2016084959.tif 000003
【図２】
2016084959.tif 000004
【図３】
2016084959.tif 000005
【図４】
2016084959.tif 000006
【図５】
2016084959.tif 000007
【図６】
2016084959.tif 000008
【図７】
2016084959.tif 000009
【図８】
2016084959.tif 000010
【図９】
2016084959.tif 000011